(57)【要約】【課題】電力を効率よく使用すること。【解決手段】受信部１１１は、第１周波数帯域のセルと、第１周波数帯域とは異なる第２周波数帯域のセルであって第１周波数帯域のセルより範囲が狭いセルと、を同時に用いて無線信号を受信可能である。測定部１１２は、第２周波数帯域の各セルについて受信品質の測定を行う。設定部１１３は、測定部１１２による測定の結果に基づいて、第２周波数帯域の各セルのうちの受信部１１１が用いるセルを設定する。検出部１１４は、自端末の移動速度を検出する。制御部１１５は、検出部１１４によって検出された移動速度が所定速度を上回ると測定部１１２による測定を停止させる。【選択図】図１−２
2014183406.tif 000002
【特許請求の範囲】
【請求項１】
第１周波数帯域のセルと、前記第１周波数帯域とは異なる第２周波数帯域のセルであって前記第１周波数帯域のセルより範囲が狭いセルと、を同時に用いて無線信号を受信可能な受信部と、
前記第２周波数帯域の各セルについて受信品質の測定を行う測定部と、
前記測定部による測定の結果に基づいて、前記第２周波数帯域の各セルのうちの前記受信部が用いるセルを設定する設定部と、
自端末の移動速度を検出する検出部と、
前記検出部によって検出された移動速度が所定速度を上回ると前記測定部による前記測定を停止させる制御部と、
を備えることを特徴とする移動端末。
【請求項２】
前記設定部は、前記第２周波数帯域の各セルについての受信品質の測定結果に基づく所定イベントを含む各イベントの発生の監視結果に基づいて前記受信部が用いる帯域の設定を行い、前記検出部によって検出された移動速度が所定速度を上回ると、前記所定イベントの発生の監視を停止することを特徴とする請求項１に記載の移動端末。
【請求項３】
前記制御部は、前記測定部による前記測定を停止させた後に、前記検出部によって検出された移動速度が前記所定速度以下になると前記測定部による前記測定を再開させることを特徴とする請求項１または２に記載の移動端末。
【請求項４】
前記検出部は、自端末の電池残量を検出し、
前記制御部は、前記検出部によって検出された電池残量が所定残量を下回ると前記測定部による前記測定を停止させる、
ことを特徴とする請求項１〜３のいずれか一つに記載の移動端末。
【請求項５】
前記検出部は、自端末への送信を要求するデータ量を検出し、
前記制御部は、前記検出部によって検出されたデータ量が所定データ量を下回ると前記測定部による前記測定を停止させる、
ことを特徴とする請求項１〜４のいずれか一つに記載の移動端末。
【請求項６】
前記検出部は、自端末で実行可能なアプリケーションの状態と、自端末への送信を要求するデータ量と、の対応情報に基づいて、自端末で実行中のアプリケーションの状態に対応するデータ量を検出することを特徴とする請求項５に記載の移動端末。
【請求項７】
第１周波数帯域のセルと、前記第１周波数帯域とは異なる第２周波数帯域のセルであって前記第１周波数帯域のセルより範囲が狭いセルと、を同時に用いて無線信号を受信可能な移動端末の制御方法において、
前記第２周波数帯域の各セルについて受信品質の測定を行い、
前記測定の結果に基づいて、前記第２周波数帯域の各セルのうちの無線信号の受信に用いるセルを設定し、
前記移動端末の移動速度を検出し、
検出した移動速度が所定速度を上回ると前記測定を停止する、
ことを特徴とする制御方法。
【発明の詳細な説明】
【技術分野】
【０００１】
本発明は、移動端末および制御方法に関する。
【背景技術】
【０００２】
従来、移動体通信方式としてＬＴＥ（Ｌｏｎｇ  Ｔｅｒｍ  Ｅｖｏｌｕｔｉｏｎ）やＬＴＥ−Ａ（ＬＴＥ−Ａｄｖａｎｃｅｄ）が知られている。ＬＴＥやＬＴＥ−Ａにおいては、たとえばＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多重接続）が用いられる。
【０００３】
また、ＬＴＥ−Ａにおいては、複数のコンポーネントキャリア（ＣＣ：Ｃｏｍｐｏｎｅｎｔ  Ｃａｒｒｉｅｒ）を束ねて使用するキャリアアグリゲーション（ＣＡ：Ｃａｒｒｉｅｒ  Ａｇｇｒｅｇａｔｉｏｎ）が用いられる。キャリアアグリゲーションにおいては、たとえば、プライマリセル（主セル）およびセカンダリセル（副セル）が選択される。また、セカンダリセルのサーチ結果に基づきセカンダリセルの変更等を行うことにより通信品質の向上が図られる。
【０００４】
また、共通ＩＤとなる仮想無線識別子を複数の基地局で使用することにより端末のハンドオーバ処理の軽減を図る技術が知られている（たとえば、下記特許文献１参照。）。また、移動端末が、無線基地局との間で、第１周波数帯域の第１キャリアおよび第１周波数帯域よりも高周波数帯域である第２周波数帯域の第２キャリアを同時に用いて信号の送受信を行う技術が知られている（たとえば、下記特許文献２参照。）。また、マイクロセルにおいて無線通信端末と通信している際に、無線通信端末から送信された信号の受信タイミングに応じて、無線通信端末との通信をマクロセルによる通信に切り替える技術が知られている（たとえば、下記特許文献３参照。）。
【先行技術文献】
【特許文献】
【０００５】
【特許文献１】特開２０１２−０１９３４８号公報
【特許文献２】特開２０１１−１４２５９６号公報
【特許文献３】特開２０１０−１４７８４８号公報
【発明の概要】
【発明が解決しようとする課題】
【０００６】
しかしながら、上述した従来技術では、移動端末の状態によっては、消費電力の大きいセルサーチを行ってセカンダリセルの変更等を行っても通信品質を向上させることができない場合がある。このため、電力を効率よく使用することができないという問題がある。
【０００７】
本発明は、上述した従来技術による問題点を解消するため、電力を効率よく使用することができる移動端末および制御方法を提供することを目的とする。
【課題を解決するための手段】
【０００８】
上述した課題を解決し、目的を達成するため、本発明の一側面によれば、第１周波数帯域のセルと、前記第１周波数帯域とは異なる第２周波数帯域のセルであって前記第１周波数帯域のセルより範囲が狭いセルと、を同時に用いて無線信号を受信可能な移動端末において、前記第２周波数帯域の各セルについて受信品質の測定を行い、前記測定の結果に基づいて、前記第２周波数帯域の各セルのうちの無線信号の受信に用いるセルを設定し、自端末の移動速度を検出し、検出した移動速度が所定速度を上回ると前記測定を停止する移動端末および制御方法が提案される。
【発明の効果】
【０００９】
本発明の一側面によれば、電力を効率よく使用することができるという効果を奏する。
【図面の簡単な説明】
【００１０】
【図１−１】図１−１は、実施の形態にかかる通信システムの一例を示す図である。
【図１−２】図１−２は、図１−１に示した通信システムにおける信号の流れの一例を示す図である。
【図１−３】図１−３は、移動端末が無線信号の受信に使用可能なセルの一例を示す図である。
【図２】図２は、キャリアアグリゲーションの一例を示す図である。
【図３】図３は、下り物理チャネルのフレームマッピングの一例を示す図である。
【図４】図４は、移動端末とネットワークとの間のメッセージフローの一例を示すシーケンス図である。
【図５】図５は、移動端末の動作の一例を示すフローチャート（その１）である。
【図６】図６は、移動端末の動作の一例を示すフローチャート（その２）である。
【図７】図７は、移動端末の動作の一例を示すフローチャート（その３）である。
【図８】図８は、Ｓｃｅｌｌ＿ｎｏｕｓｅ＿ｆｌｇの設定処理の一例を示すフローチャートである。
【図９−１】図９−１は、第１イベント群の一例を示す図である。
【図９−２】図９−２は、第２イベント群の一例を示す図である。
【図１０−１】図１０−１は、移動端末のハードウェア構成の一例を示す図である。
【図１０−２】図１０−２は、図１０−１に示した移動端末のハードウェア構成における信号の流れの一例を示す図である。
【図１１】図１１は、下り要求スループットの検出の一例を示す図である。
【発明を実施するための形態】
【００１１】
以下に図面を参照して、本発明にかかる移動端末および制御方法の実施の形態を詳細に説明する。
【００１２】
（実施の形態）
図１−１は、実施の形態にかかる通信システムの一例を示す図である。図１−２は、図１−１に示した通信システムにおける信号の流れの一例を示す図である。図１−３は、移動端末が無線信号の受信に使用可能なセルの一例を示す図である。
【００１３】
図１−１，図１−２に示すように、実施の形態にかかる通信システム１００は、移動端末１１０と、基地局１２０と、を含む。移動端末１１０は、基地局１２０との間で無線通信を行う。基地局１２０は、複数の基地局であってもよい。
【００１４】
図１−３に示すセル１３１，１３２およびセル群１３３は、移動端末１１０が無線信号の受信に使用可能なセルである。セル１３１，１３２は、第１周波数帯域ｂ１を使用するセルである。セル群１３３は、第１周波数帯域ｂ１と異なる第２周波数帯域ｂ２を使用する各セルである。また、図１−３に示すように、セル群１３３の各セルは、セル１３１，１３２の少なくともいずれかと重複し、セル１３１，１３２より範囲（カバーエリア）が狭いセルである。
【００１５】
図１−１，図１−２に示すように、移動端末１１０は、受信部１１１と、測定部１１２と、設定部１１３と、検出部１１４と、制御部１１５と、を備える。受信部１１１は、基地局１２０からの無線信号を受信する。また、受信部１１１は、図１−３に示す、第１周波数帯域ｂ１のセル（たとえばセル１３１，１３２のいずれか）と、第２周波数帯域ｂ２のセル（たとえばセル群１３３のいずれか）と、を同時に用いて無線信号を受信可能である。
【００１６】
第２周波数帯域ｂ２のセルは第１周波数帯域ｂ１のセルより範囲が狭いセルであるため、移動端末１１０が高速に移動すると、第１周波数帯域ｂ１のセルに比べて第２周波数帯域ｂ２のセルは通信品質が頻繁に劣化し、たとえば通信が頻繁に途切れる。
【００１７】
測定部１１２は、第２周波数帯域ｂ２の各セル（セクタも含む）について受信品質の測定を行う。測定部１１２による受信品質の測定は、たとえば各セルのパスロスを測定するセルサーチである。測定部１１２は、測定の結果を設定部１１３へ出力する。測定部１１２によって測定される受信品質には、たとえばＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）やＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ：搬送波レベル対干渉雑音比）などがある。
【００１８】
設定部１１３は、測定部１１２から出力された測定の結果に基づいて、第２周波数帯域ｂ２の各セルのうちの受信部１１１が用いるセルを設定する。たとえば、設定部１１３は、測定部１１２から出力された測定の結果を含む情報を基地局１２０へ無線送信することにより、第２周波数帯域ｂ２の各セルのうちの受信部１１１が用いるセルを基地局１２０に決定させる。つぎに、設定部１１３は、基地局１２０による決定結果を示す情報を基地局１２０から無線受信する。そして、設定部１１３は、第２周波数帯域ｂ２の各セルのうちの受信部１１１が用いるセルを、無線受信した情報が示す帯域に設定する。
【００１９】
検出部１１４は、移動端末１１０（自端末）の移動速度を検出する。そして、検出部１１４は、検出の結果を制御部１１５へ出力する。制御部１１５は、検出部１１４から出力された検出の結果に基づいて、移動端末１１０の移動速度が所定速度を上回ると、測定部１１２による第２周波数帯域ｂ２の各帯域の受信品質の測定を停止させる。
【００２０】
これにより、第２周波数帯域ｂ２のセルの受信品質が頻繁に低下する高速移動中は、第２周波数帯域ｂ２のセルを選択するための測定を行わず、通信品質の向上に繋がらない測定を抑制することができる。また、第２周波数帯域ｂ２のセルの受信品質が頻繁に低下する高速移動中は、第２周波数帯域ｂ２のセルの変更等の処理を行わず、通信品質の向上に繋がらない処理を抑制することができる。このため、無駄な電力消費を抑え、電力を効率よく使用することができる。したがって、たとえば移動端末１１０の電池持ちを向上させることができる。
【００２１】
＜測定の再開＞
また、設定部１１３は、たとえば、各イベントの発生の監視結果に基づいて、受信部１１１が用いる帯域の設定を行う。また、各イベントには、第２周波数帯域ｂ２の各セルについての受信品質の測定結果に基づく所定イベントが含まれる。そして、第２周波数帯域ｂ２の各セルについての受信品質の測定を行わない場合には所定イベントは発生しないため、設定部１１３は、検出された移動速度が所定速度を上回ると、所定イベントの発生の監視を停止するようにしてもよい。発生し得ないイベントの監視の処理を省き、電力を効率よく使用することができる。
【００２２】
また、制御部１１５は、第２周波数帯域ｂ２の各セルについての受信品質の測定を停止させた後に、検出された移動速度が所定速度以下になると、第２周波数帯域ｂ２の各セルについての受信品質の測定を再開させるようにしてもよい。これにより、第２周波数帯域ｂ２のセルの受信品質が安定する低速移動中になった場合に、第２周波数帯域ｂ２のセルの受信品質を測定し、測定結果に基づいて第２周波数帯域ｂ２のセルを設定することができる。これにより、通信品質の向上を図ることができる。
【００２３】
＜電池残量の検出＞
また、検出部１１４は、移動端末１１０の移動速度に加えて、移動端末１１０の電池残量を検出してもよい。制御部１１５は、検出部１１４によって検出された電池残量が所定残量を下回ると、移動端末１１０の移動速度が所定速度を上回っていなくても、測定部１１２による第２周波数帯域ｂ２の各セルについての受信品質の測定を停止させる。これにより、移動端末１１０の電池残量が少ない状態での第２周波数帯域ｂ２の各セルについての受信品質の測定を抑制することができる。このため、移動端末１１０の電池残量が少ない状態で通信品質の向上を図って電池切れとなることを回避することができる。
【００２４】
この場合は、制御部１１５は、第２周波数帯域ｂ２の各セルについての受信品質の測定を停止させた後に、検出された電池残量が所定残量以上となり、かつ検出された移動速度が所定速度以下である場合に、停止させた測定を再開させてもよい。これにより、充電等により移動端末１１０の電池残量が多くなった場合に、第２周波数帯域ｂ２のセルの受信品質を測定し、測定結果に基づいて第２周波数帯域ｂ２のセルを設定することができる。これにより、通信品質の向上を図ることができる。
【００２５】
＜要求するデータ量の検出＞
また、検出部１１４は、移動端末１１０の移動速度に加えて、移動端末１１０が、たとえば基地局１２０に対して移動端末１１０への送信を要求するデータ量を検出してもよい。制御部１１５は、検出部１１４によって検出されたデータ量が所定データ量を下回ると、移動端末１１０の移動速度が所定速度を上回っていなくても、測定部１１２による第２周波数帯域ｂ２の各セルについての受信品質の測定を停止させる。これにより、移動端末１１０が要求するデータ量が少ない状態での第２周波数帯域ｂ２の各セルについての受信品質の測定を抑制することができる。このため、移動端末１１０が要求するデータ量が少ない状態で通信品質の向上を図って消費電力が増大することを回避することができる。
【００２６】
この場合は、制御部１１５は、第２周波数帯域ｂ２の各セルについての受信品質の測定を停止させた後に、検出されたデータ量が所定データ量以上となり、かつ検出された移動速度が所定速度以下である場合に、停止させた測定を再開させてもよい。これにより、移動端末１１０が要求するデータ量が増加した場合に、第２周波数帯域ｂ２のセルの受信品質を測定し、測定結果に基づいて第２周波数帯域ｂ２のセルを設定することができる。これにより、要求するデータ量の増加に応じた通信品質の向上を図ることができる。
【００２７】
たとえば検出部１１４は、移動端末１１０（自端末）で実行可能なアプリケーションの状態と、移動端末１１０が要求するデータ量と、の対応情報に基づいて、移動端末１１０で実行中のアプリケーションの状態に対応するデータ量を検出する。
【００２８】
＜移動端末の適用例＞
移動端末１１０は、たとえば、ＬＴＥ、ＬＴＥ−Ａ、無線ＬＡＮ（Ｌｏｃａｌ  Ａｒｅａ  Ｎｅｔｗｏｒｋ：構内通信網）等の無線通信が可能な通信端末に適用することができる。以下、ＬＴＥ−Ａの無線通信が可能な通信端末に移動端末１１０を適用する場合について説明する。
【００２９】
（キャリアアグリゲーション）
図２は、キャリアアグリゲーションの一例を示す図である。図２の横軸は周波数を示している。図２に示すバンドＡは、８００［ＭＨｚ］帯の周波数帯域である。バンドＢは、３．５［ＧＨｚ］帯の周波数帯域である。ＬＴＥ−Ａのキャリアアグリゲーションは、たとえば、バンドＡにおける１つのコンポーネントキャリア２１０と、バンドＢの３つのコンポーネントキャリア２２１〜２２３と、４つのコンポーネントキャリアと、によって行われる。
【００３０】
この場合は、コンポーネントキャリア２１０，２２１〜２２３のそれぞれの帯域幅を２０［ＭＨｚ］とすると、最大で８０［ＭＨｚ］幅でのサービスが可能になる。このようなキャリアアグリゲーションは、たとえば、Ｉｎｔｅｒ  ｆｒｅｑｕｅｎｃｙ  Ｃａｒｒｉｅｒ  Ａｇｇｒｅｇａｔｉｏｎと呼ばれる。８００［ＭＨｚ］帯のバンドＡは、たとえばプラチナバンドと呼ばれ、バンドＢに比べて電波が届きやすい周波数帯域である。
【００３１】
図１−３に示した第１周波数帯域ｂ１は、たとえば図２に示すバンドＡに対応する。図１−３に示した第２周波数帯域ｂ２は、たとえば図２に示すバンドＢに対応する。移動端末１１０は、たとえば、バンドＡのコンポーネントキャリア２１０をプライマリＣＣ（Ｐｒｉｍａｒｙ  Ｃｏｍｐｏｎｅｎｔ  Ｃａｒｒｉｅｒ）として使用する。また、移動端末１１０は、バンドＢのコンポーネントキャリア２２１〜２２３をセカンダリＣＣ（Ｓｅｃｏｎｄａｒｙ  Ｃｏｍｐｏｎｅｎｔ  Ｃａｒｒｉｅｒ）として使用する。
【００３２】
この場合は、移動端末１１０において、コンポーネントキャリア２１０を使用するセルがプライマリセル（Ｐｒｉｍａｒｙ  ｃｅｌｌ）となり、コンポーネントキャリア２２１〜２２３を使用するセルがセカンダリセル（Ｓｅｃｏｎｄａｒｙ  ｃｅｌｌ）となる。
【００３３】
（下り物理チャネルのフレームマッピング）
図３は、下り物理チャネルのフレームマッピングの一例を示す図である。図３において、横方向は時間を示し、縦方向は周波数を示している。フレーム３１０は、移動端末１１０における下り物理チャネルにおける１フレームを示している。フレーム３１０の長さは１０［ｍｓ］であり、下り物理チャネルにおいてフレーム３１０が繰り返し送信される。また、フレーム３１０は、１［ｍｓ］の長さの１０個のサブフレームを含む。
【００３４】
サブフレーム３２０は、フレーム３１０における１サブフレームを示している。サブフレーム３２０は、２個のスロットを含む。スロット３３０は、サブフレーム３２０における１スロットを示している。スロット３３０は、７個のＯＦＤＭシンボルを含む。スロット３３０の各ＯＦＤＭシンボルの先頭には、それぞれのシンボルの末尾部分をコピーした巡回プレフィクス（ＣＰ：Ｃｙｃｌｉｃ  Ｐｒｅｆｉｘ）が含まれる。
【００３５】
サブフレーム３２０には、たとえば、プライマリ同期信号３２１と、セカンダリ同期信号３２２と、ＰＢＣＨ３２３（Ｐｈｙｓｉｃａｌ  Ｂｒｏａｄｃａｓｔ  Ｃｈａｎｎｅｌ：物理ブロードキャストチャネル）と、ＰＤＣＣＨ３２４（Ｐｈｙｓｉｃａｌ  Ｄｏｗｎｌｉｎｋ  Ｃｏｎｔｒｏｌ  Ｃｈａｎｎｅｌ：物理下りリンク制御チャネル）と、ＰＤＳＣＨ３２５（Ｐｈｙｓｉｃａｌ  Ｄｏｗｎｌｉｎｋ  Ｓｈａｒｅｄ  Ｃｈａｎｎｅｌ：物理下りリンク共有チャネル）と、リファレンス信号３２６（ＲＳ：Ｒｅｆｅｒｅｎｃｅ  Ｓｉｇｎａｌ）と、が配置されている。移動端末１１０は、セルサーチの際に、たとえば、プライマリ同期信号３２１およびセカンダリ同期信号３２２を使用してセルとの同期処理を行うことによってセルＩＤを復調し、セルを特定する。
【００３６】
そして、移動端末１１０は、たとえばＬＴＥ−Ａの３ＧＰＰ規格３６．２１４に基づくＲＳＳＩ、ＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）およびＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）の測定を行う。
【００３７】
ＲＳＳＩの測定は、たとえば、測定バンドの無線パワー測定であり、セル信号に加えてノイズや干渉成分を加算した信号に対する無線パワー測定である。ＲＳＲＰの測定は、たとえば、リファレンス信号３２６のパワー測定である。リファレンス信号３２６は、各スロットにおけるシンボル「０」およびシンボル「４」に配置されている。
【００３８】
ＲＳＲＱは、たとえば、リファレンス信号３２６のパワーであるＲＳＲＰをＲＳＳＩで割ったものであり、たとえばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）に相当する。
【００３９】
（移動端末とネットワークとの間のメッセージフロー）
図４は、移動端末とネットワークとの間のメッセージフローの一例を示すシーケンス図である。図４に示すＥＵＴＲＡＮ４１０（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、たとえば基地局１２０に設けられる。または、ＥＵＴＲＡＮ４１０は、基地局１２０より上位の通信装置に設けられていてもよい。この場合は、移動端末１１０は、基地局１２０を介してＥＵＴＲＡＮ４１０との間で通信を行う。
【００４０】
ＬＴＥ−Ａ（たとえば３ＧＰＰ  ＴＳ３６．３３１）においては、たとえば周期的に以下の各ステップが実行される。まず、移動端末１１０が、Ｍｅａｓｕｒｅｍｅｎｔ  ＲｅｐｏｒｔをＥＵＴＲＡＮ４１０へ送信する（ステップＳ４０１）。Ｍｅａｓｕｒｅｍｅｎｔ  Ｒｅｐｏｒｔは、たとえば、上述したセルサーチによるＲＳＳＩ、ＲＳＲＰおよびＲＳＲＱの測定結果に基づく情報を含む。
【００４１】
つぎに、ＥＵＴＲＡＮ４１０が、ステップＳ４０１によって送信されたＭｅａｓｕｒｅｍｅｎｔ  Ｒｅｐｏｒｔに基づいて、移動端末１１０の設定変更の内容（変更なしも含む）を決定する（ステップＳ４０２）。設定変更には、たとえば、セカンダリＣＣの追加または削除や、プライマリＣＣとセカンダリＣＣとの切り替え等がある。つぎに、ＥＵＴＲＡＮ４１０は、ステップＳ４０２によって決定した設定変更の内容を示す情報を含むＲＲＣ  Ｃｏｎｎｅｃｔｉｏｎ  Ｒｅｃｏｎｆｉｇｕｒａｔｉｏｎを移動端末１１０へ送信する（ステップＳ４０３）。
【００４２】
つぎに、移動端末１１０が、ステップＳ４０３によって送信されたＲＲＣ  Ｃｏｎｎｅｃｔｉｏｎ  Ｒｅｃｏｎｆｉｇｕｒａｔｉｏｎに基づいて設定変更を行う（ステップＳ４０４）。つぎに、移動端末１１０が、設定変更を完了したことを示すＲＲＣ  Ｃｏｎｎｅｃｔｉｏｎ  Ｒｅｃｏｎｆｉｇｕｒａｔｉｏｎ  ＣｏｍｐｌｅｔｅをＥＵＴＲＡＮ４１０へ送信し（ステップＳ４０５）、一連のメッセージフローを終了する。
【００４３】
以上の各ステップにより、移動端末１１０における周期的なセルサーチの結果に基づいて、ＥＵＴＲＡＮ４１０が移動端末１１０の設定変更を決定し、決定結果にしたがって移動端末１１０の設定変更を行うことができる。
【００４４】
（移動端末の動作）
図５〜図７は、移動端末の動作の一例を示すフローチャートである。移動端末１１０は、電源がオンになると、たとえば図５〜図７に示す各ステップを実行する。まず、図５に示すように、移動端末１１０は、受信性能がよいプライマリＣＣを使用するプライマリセルを検出するプライマリセルサーチを行う（ステップＳ５０１）。プライマリセルサーチは、たとえば図２に示したコンポーネントキャリア２１０（プライマリＣＣ）についてのセルサーチである。ステップＳ５０１におけるプライマリセルサーチは、一例としては、移動端末１１０の電源が最後にオフになった際に設定されていたプライマリセルを検出するセルサーチとすることができる。
【００４５】
つぎに、移動端末１１０は、ステップＳ５０１によって検出されたプライマリセルにより通信を開始する（ステップＳ５０２）。つぎに、移動端末１１０は、ステップＳ５０１によって検出されたプライマリセルのＤｅｄｉｃａｔｅｄ  ＳｉｇｎａｌｉｎｇによりセカンダリＣＣ情報を取得する（ステップＳ５０３）。ＳＣＣ情報は、たとえばセカンダリＣＣの周波数帯域を示す情報である。
【００４６】
つぎに、移動端末１１０は、図６に示すステップへ移行する（符号Ａ）。すなわち、移動端末１１０は、プライマリセルサーチを行う（ステップＳ６０１）。つぎに、移動端末１１０は、Ｓｃｅｌｌ＿ｎｏｕｓｅ＿ｆｌｇを設定する（ステップＳ６０２）。Ｓｃｅｌｌ＿ｎｏｕｓｅ＿ｆｌｇは、セカンダリセルサーチを行わない場合は「１」に設定され、セカンダリセルを行う場合は「０」に設定される情報である。Ｓｃｅｌｌ＿ｎｏｕｓｅ＿ｆｌｇの設定については後述する（たとえば図８参照）。
【００４７】
つぎに、移動端末１１０は、ステップＳ６０２によって設定されたＳｃｅｌｌ＿ｎｏｕｓｅ＿ｆｌｇが「１」であるか否かを判断する（ステップＳ６０３）。Ｓｃｅｌｌ＿ｎｏｕｓｅ＿ｆｌｇが「１」でない場合（ステップＳ６０３：Ｎｏ）は、移動端末１１０は、セカンダリセルサーチを行う（ステップＳ６０４）。セカンダリセルサーチは、たとえば図２に示したコンポーネントキャリア２２１〜２２３（セカンダリＣＣ）についてのセルサーチである。つぎに、移動端末１１０は、第１イベント群（たとえば図９−１参照）のチェックを行い（ステップＳ６０５）、ステップＳ６０７へ移行する。
【００４８】
ステップＳ６０３において、Ｓｃｅｌｌ＿ｎｏｕｓｅ＿ｆｌｇが「１」である場合（ステップＳ６０３：Ｙｅｓ）は、移動端末１１０は、セカンダリセルサーチを行わず、第２イベント群（たとえば図９−２参照）のチェックを行う（ステップＳ６０６）。
【００４９】
つぎに、移動端末１１０は、ステップＳ６０５またはステップＳ６０６によるチェックによってイベントの発生を検出したか否かを判断する（ステップＳ６０７）。イベントの発生を検出していない場合（ステップＳ６０７：Ｎｏ）は、移動端末１１０は、所定期間を計時するタイマＴ１をセットする（ステップＳ６０８）。
【００５０】
つぎに、移動端末１１０は、ステップＳ６０８によってセットしたタイマＴ１が満了したか否かを判断し（ステップＳ６０９）、タイマＴ１が満了するまで待つ（ステップＳ６０９：Ｎｏのループ）。タイマＴ１が満了すると（ステップＳ６０９：Ｙｅｓ）、移動端末１１０は、ステップＳ６０１へ戻る。
【００５１】
ステップＳ６０７において、イベントの発生を検出した場合（ステップＳ６０７：Ｙｅｓ）は、移動端末１１０は、検出したイベントをプライマリセルでＭｅａｓｕｒｅｍｅｎｔ  Ｒｅｐｏｒｔによりネットワークへ報告する（ステップＳ６１０）。ネットワークは、たとえば図４に示したＥＵＴＲＡＮ４１０である。
【００５２】
つぎに、移動端末１１０は、ネットワークからＲＲＣ＿Ｃｏｎｎ＿Ｒｅｃｆ（ＲＲＣ  Ｃｏｎｎｅｃｔｉｏｎ  Ｒｅｃｏｎｆｉｇｕｒａｔｉｏｎ）を受信したか否かを判断する（ステップＳ６１１）。ＲＲＣ＿Ｃｏｎｎ＿Ｒｅｃｆを受信していない場合（ステップＳ６１１：Ｎｏ）は、移動端末１１０は、ステップＳ６０８へ移行する。
【００５３】
ステップＳ６１１において、ＲＲＣ＿Ｃｏｎｎ＿Ｒｅｃｆを受信した場合（ステップＳ６１１：Ｙｅｓ）は、移動端末１１０は、図７に示すステップへ移行する（符号Ｂ）。すなわち、移動端末１１０は、受信したＲＲＣ＿Ｃｏｎｎ＿ＲｅｃｆがセカンダリＣＣの追加または削除を指示する情報であるか否かを判断する（ステップＳ７０１）。
【００５４】
ステップＳ７０１において、ＲＲＣ＿Ｃｏｎｎ＿ＲｅｃｆがセカンダリＣＣの追加または削除の指示でない場合（ステップＳ７０１：Ｎｏ）は、移動端末１１０は、ステップＳ７０３へ移行する。ＲＲＣ＿Ｃｏｎｎ＿ＲｅｃｆがセカンダリＣＣの追加または削除の指示である場合（ステップＳ７０１：Ｙｅｓ）は、移動端末１１０は、ＲＲＣ＿Ｃｏｎｎ＿ＲｅｃｆにしたがってセカンダリＣＣの追加または削除を行う（ステップＳ７０２）。
【００５５】
つぎに、移動端末１１０は、受信したＲＲＣ＿Ｃｏｎｎ＿ＲｅｃｆがプライマリＣＣとセカンダリＣＣとの切り替えの指示であるか否かを判断する（ステップＳ７０３）。ＲＲＣ＿Ｃｏｎｎ＿ＲｅｃｆがプライマリＣＣとセカンダリＣＣとの切り替えの指示でない場合（ステップＳ７０３：Ｎｏ）は、移動端末１１０は、ステップＳ７０５へ移行する。
【００５６】
ステップＳ７０３において、ＲＲＣ＿Ｃｏｎｎ＿ＲｅｃｆがプライマリＣＣとセカンダリＣＣとの切り替えの指示である場合（ステップＳ７０３：Ｙｅｓ）は、移動端末１１０は、ステップＳ７０４へ移行する。すなわち、移動端末１１０は、ＲＲＣ＿Ｃｏｎｎ＿ＲｅｃｆにしたがってプライマリＣＣとセカンダリＣＣとの切り替えを行う（ステップＳ７０４）。
【００５７】
つぎに、移動端末１１０は、所定期間を計時するタイマＴ１をセットする（ステップＳ７０５）。つぎに、移動端末１１０は、ステップＳ７０５によってセットしたタイマＴ１が満了したか否かを判断し（ステップＳ７０６）、タイマＴ１が満了するまで待つ（ステップＳ７０６：Ｎｏのループ）。ステップＳ７０６において、タイマＴ１が満了すると（ステップＳ７０６：Ｙｅｓ）、移動端末１１０は、図６に示したステップＳ６０１へ戻る（符号Ａ）。
【００５８】
図５〜図７の各ステップにより、移動端末１１０は、タイマＴ１によって計時される周期ごとにイベントのチェックを行い、イベントの発生を検出するとネットワークに報告し、ネットワークから設定変更の指示があった場合に設定変更を行うことができる。また、移動端末１１０は、Ｓｃｅｌｌ＿ｎｏｕｓｅ＿ｆｌｇが「０」に設定された場合はセカンダリセルサーチおよび第１イベント群のチェックを行うことができる。また、移動端末１１０は、Ｓｃｅｌｌ＿ｎｏｕｓｅ＿ｆｌｇが「１」に設定された場合はセカンダリセルサーチを行わずに第２イベント群のチェックを行うことができる。
【００５９】
なお、タイマＴ１によって計時される時間は、一例としては、移動端末１１０の移動速度や電池残量等を反映するために３０秒〜１８０秒程度とすることができる。
【００６０】
図８は、Ｓｃｅｌｌ＿ｎｏｕｓｅ＿ｆｌｇの設定処理の一例を示すフローチャートである。図６に示したステップＳ６０２において、移動端末１１０は、Ｓｃｅｌｌ＿ｎｏｕｓｅ＿ｆｌｇの設定処理としてたとえば以下の各ステップを実行する。
【００６１】
まず、移動端末１１０は、移動端末１１０の移動速度Ｖｍが閾値Ｖｔｈ１を上回っているか否かを判断する（ステップＳ８０１）。閾値Ｖｔｈ１は、一例としては１５［ｋｍ／ｈ］とすることができる。移動速度Ｖｍが閾値Ｖｔｈ１を上回っている場合（ステップＳ８０１：Ｙｅｓ）は、移動端末１１０は、Ｓｃｅｌｌ＿ｎｏｕｓｅ＿ｆｌｇを「１」に設定し（ステップＳ８０２）、Ｓｃｅｌｌ＿ｎｏｕｓｅ＿ｆｌｇの設定処理を終了する。
【００６２】
ステップＳ８０１において、移動速度Ｖｍが閾値Ｖｔｈ１を上回っていない場合（ステップＳ８０１：Ｎｏ）は、移動端末１１０は、移動端末１１０の電池残量ＶＴが閾値ＶＴｔｈ１を下回っているか否かを判断する（ステップＳ８０３）。閾値ＶＴｔｈ１は、一例としては２５％とすることができる。電池残量ＶＴが閾値ＶＴｔｈ１を下回っている場合（ステップＳ８０３：Ｙｅｓ）は、移動端末１１０は、ステップＳ８０２へ移行してＳｃｅｌｌ＿ｎｏｕｓｅ＿ｆｌｇを「１」に設定し、Ｓｃｅｌｌ＿ｎｏｕｓｅ＿ｆｌｇの設定処理を終了する。
【００６３】
ステップＳ８０３において、電池残量ＶＴが閾値ＶＴｔｈ１を下回っていない場合（ステップＳ８０３：Ｎｏ）は、移動端末１１０は、移動端末１１０の下り要求スループットＤｒｅｑが閾値Ｄｒｅｑ＿ｔｈ１を下回っているか否かを判断する（ステップＳ８０４）。閾値Ｄｒｅｑ＿ｔｈ１は、一例としては７［Ｍｂｐｓ］とすることができる。下り要求スループットＤｒｅｑが閾値Ｄｒｅｑ＿ｔｈ１を下回っている場合（ステップＳ８０４：Ｙｅｓ）は、移動端末１１０は、ステップＳ８０２へ移行してＳｃｅｌｌ＿ｎｏｕｓｅ＿ｆｌｇを「１」に設定し、Ｓｃｅｌｌ＿ｎｏｕｓｅ＿ｆｌｇの設定処理を終了する。
【００６４】
ステップＳ８０４において、下り要求スループットＤｒｅｑが閾値Ｄｒｅｑ＿ｔｈ１を下回っていない場合（ステップＳ８０４：Ｎｏ）は、移動端末１１０は、Ｓｃｅｌｌ＿ｎｏｕｓｅ＿ｆｌｇを「０」に設定し（ステップＳ８０５）、Ｓｃｅｌｌ＿ｎｏｕｓｅ＿ｆｌｇの設定処理を終了する。
【００６５】
図８の各ステップにより、移動端末１１０は、移動端末１１０が高速移動している場合、移動端末１１０の電池残量が少ない場合、または移動端末１１０の下り要求スループットが少ない場合にＳｃｅｌｌ＿ｎｏｕｓｅ＿ｆｌｇを「１」に設定することができる。また、移動端末１１０は、移動端末１１０が高速移動しておらず、移動端末１１０の電池残量が多く、かつ移動端末１１０の下り要求スループットが多い場合にＳｃｅｌｌ＿ｎｏｕｓｅ＿ｆｌｇを「０」に設定することができる。
【００６６】
図５〜図８の各ステップにより、移動端末１１０は、移動端末１１０が高速移動している場合、移動端末１１０の電池残量が少ない場合、または移動端末１１０の下り要求スループットが少ない場合にセカンダリセルサーチを行わないようにすることができる。また、移動端末１１０は、移動端末１１０が高速移動しておらず、移動端末１１０の電池残量が多く、かつ移動端末１１０の下り要求スループットが多い場合にセカンダリセルサーチを行うようにすることができる。これにより、無駄なセカンダリセルサーチおよびイベント報告を抑制し、消費電力を抑えることが可能となる。
【００６７】
また、セカンダリセルサーチを行わない場合は、セカンダリセルの状態変化がネットワークへ報告されないため、セカンダリＣＣの追加または削除や、プライマリセルとセカンダリセルの切り替えがネットワークから指示されない。このため、セカンダリＣＣの追加または削除や、プライマリセルとセカンダリセルの切り替えに伴う消費電力を抑えることが可能となる。
【００６８】
また、図８に示した各ステップにおいて、たとえばステップＳ８０３を省き、ステップＳ８０１において移動速度Ｖｍが閾値Ｖｔｈ１を上回っていない場合にステップＳ８０４へ移行してもよい。これにより、移動端末１１０が高速移動している場合、または移動端末１１０の下り要求スループットが少ない場合にＳｃｅｌｌ＿ｎｏｕｓｅ＿ｆｌｇを「１」に設定することができる。また、移動端末１１０が高速移動しておらず、かつ移動端末１１０の下り要求スループットが多い場合にＳｃｅｌｌ＿ｎｏｕｓｅ＿ｆｌｇを「０」に設定することができる。
【００６９】
また、図８に示した各ステップにおいて、たとえばステップＳ８０４を省き、ステップＳ８０３において電池残量ＶＴが閾値ＶＴｔｈ１を下回っていない場合にステップＳ８０５へ移行してもよい。これにより、移動端末１１０が高速移動している場合、または移動端末１１０の電池残量が少ない場合にＳｃｅｌｌ＿ｎｏｕｓｅ＿ｆｌｇを「１」に設定することができる。また、移動端末１１０が高速移動しておらず、かつ移動端末１１０の電池残量が多い場合にＳｃｅｌｌ＿ｎｏｕｓｅ＿ｆｌｇを「０」に設定することができる。
【００７０】
また、図８に示した各ステップにおいて、たとえばステップＳ８０３，Ｓ８０４を省き、ステップＳ８０１において移動速度Ｖｍが閾値Ｖｔｈ１を上回っていない場合にステップＳ８０５へ移行してもよい。これにより、移動端末１１０が高速移動している場合にＳｃｅｌｌ＿ｎｏｕｓｅ＿ｆｌｇを「１」に設定し、移動端末１１０が高速移動していない場合にＳｃｅｌｌ＿ｎｏｕｓｅ＿ｆｌｇを「０」に設定することができる。
【００７１】
（チェック対象のイベント群）
図９−１は、第１イベント群の一例を示す図である。図６のステップＳ６０５においてチェックされる第１イベント群は、たとえば図９−１に示すテーブル９１０に示すイベント群である。すなわち、テーブル９１０に示すイベント群は、セカンダリセルサーチが行われる場合にチェックされるイベント群である。テーブル９１０に示すように、第１イベント群には「ＥｖｅｎｔＡ１」〜「ＥｖｅｎｔＡ６」および「ＥｖｅｎｔＢ１」，「ＥｖｅｎｔＢ２」が含まれている。
【００７２】
「ＥｖｅｎｔＡ１」〜「ＥｖｅｎｔＡ６」および「ＥｖｅｎｔＢ１」，「ＥｖｅｎｔＢ２」は、たとえば、３ＧＰＰ（３ｒｄ  Ｇｅｎｅｒａｔｉｏｎ  Ｐａｒｔｎｅｒｓｈｉｐ  Ｐｒｏｊｅｃｔ）のＴＳ３６．３３１において規定されている。
【００７３】
「ＥｖｅｎｔＡ１」は、サービングセルのパワーが閾値よりよくなったときに発生するイベントである。「ＥｖｅｎｔＡ２」は、サービングセルのパワーが閾値より悪くなったときに発生するイベントである。「ＥｖｅｎｔＡ３」は、ネイバセルのパワーがプライマリセルと比較して定めたオフセットよりよくなったときに発生するイベントである。
【００７４】
「ＥｖｅｎｔＡ４」は、ネイバセルのパワーが閾値よりよくなったときに発生するイベントである。「ＥｖｅｎｔＡ５」は、プライマリセルのパワーが閾値より悪くなりかつネイバセルのパワーが閾値よりよくなったときに発生するイベントである。「ＥｖｅｎｔＡ６」は、ネイバセルのパワーがセカンダリセルのパワーと比較して定めたオフセットよりよくなったときに発生するイベントである。
【００７５】
「ＥｖｅｎｔＢ１」は、Ｉｎｔｅｒ  ＲＡＴ（他の無線システム）のネイバセルのパワーが閾値に比較してよくなったときに発生するイベントである。「ＥｖｅｎｔＢ２」は、プライマリセルが閾値より悪くなりＩｎｔｅｒ  ＲＡＴ（他の無線システム）のネイバセルのパワーが閾値より良くなったときに発生するイベントである。
【００７６】
テーブル９１０に示す第１イベント群のうちの「ＥｖｅｎｔＡ３」および「ＥｖｅｎｔＡ６」は、セカンダリセルサーチの結果として発生し得るイベントである。一方、第１イベント群のうちの「ＥｖｅｎｔＡ３」および「ＥｖｅｎｔＡ６」以外のイベントは、セカンダリセルサーチを行わなくても発生し得るイベントである。
【００７７】
図９−２は、第２イベント群の一例を示す図である。図６のステップＳ６０６においてチェックされる第２イベント群は、たとえば図９−２に示すテーブル９２０に示すイベント群である。すなわち、テーブル９２０に示すイベント群は、セカンダリセルサーチが行われない場合にチェックされるイベント群である。テーブル９２０に示すように、第２イベント群には「ＥｖｅｎｔＡ１」，「ＥｖｅｎｔＡ２」，「ＥｖｅｎｔＡ４」，「ＥｖｅｎｔＡ５」，「ＥｖｅｎｔＢ１」および「ＥｖｅｎｔＢ２」が含まれている。また、第２イベント群には、図９−１に示した第１イベント群に含まれている「ＥｖｅｎｔＡ３」および「ＥｖｅｎｔＡ６」は含まれていない。
【００７８】
このように、セカンダリセルサーチが行われない場合には、セカンダリセルサーチが行われた場合にのみ発生し得る「ＥｖｅｎｔＡ３」および「ＥｖｅｎｔＡ６」についてはチェックしないようにしてもよい。これにより、移動端末１１０における処理量を低減することができる。
【００７９】
（移動端末のハードウェア構成）
図１０−１は、移動端末のハードウェア構成の一例を示す図である。図１０−２は、図１０−１に示した移動端末のハードウェア構成における信号の流れの一例を示す図である。図１０−１，図１０−２に示すように、移動端末１１０は、アンテナ１００１と、ＬＴＥ−Ａデバイス１０１０と、ＣＰＵ１０２１と、メモリ１０２２と、を備える。また、移動端末１１０は、表示部１０３１と、操作部１０３２と、マイク１０３３と、スピーカ１０３４と、端末速度検出部１０４１と、電池残量検出部１０４２と、下り要求スループット検出部１０４３と、を備える。
【００８０】
ＬＴＥ−Ａデバイス１０１０は、ＬＴＥ−Ａ方式の通信処理を行う通信回路である。たとえば、ＬＴＥ−Ａデバイス１０１０は、ＬＴＥ−Ａ無線部１０１１と、ＬＴＥ−Ａベースバンド部１０１２と、を有する。ＬＴＥ−Ａ無線部１０１１は、ＬＴＥ−Ａベースバンド部１０１２から出力された送信信号を、ＬＴＥ−Ａ方式によりアンテナ１００１を介して無線送信する。また、ＬＴＥ−Ａ無線部１０１１は、ＬＴＥ−Ａ方式によりアンテナ１００１を介して受信した受信信号をＬＴＥ−Ａベースバンド部１０１２へ出力する。
【００８１】
ＬＴＥ−Ａベースバンド部１０１２は、ＣＰＵ１０２１から出力された送信信号のベースバンド処理を行い、ベースバンド処理を行った送信信号をＬＴＥ−Ａ無線部１０１１へ出力する。また、ＬＴＥ−Ａベースバンド部１０１２は、ＬＴＥ−Ａ無線部１０１１から出力された受信信号のベースバンド処理を行い、ベースバンド処理を行った受信信号をＣＰＵ１０２１へ出力する。
【００８２】
ＣＰＵ１０２１（Ｃｅｎｔｒａｌ  Ｐｒｏｃｅｓｓｉｎｇ  Ｕｎｉｔ）は、移動端末１１０の全体の制御を司る。たとえば、図５〜図８に示した各ステップはＣＰＵ１０２１によって実行される。
【００８３】
メモリ１０２２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ１０２１のワークエリアとして使用される。補助メモリは、たとえば磁気ディスクやフラッシュメモリなどの不揮発メモリである。補助メモリには、移動端末１１０を動作させる各種のプログラムが記憶されている。補助メモリに記憶されたプログラムは、メインメモリにロードされてＣＰＵ１０２１によって実行される。
【００８４】
表示部１０３１は、ＣＰＵ１０２１からの制御により、移動端末１１０のユーザに対して情報を表示する。表示部１０３１は、たとえば液晶ディスプレイ等によって実現することができる。操作部１０３２は、移動端末１１０のユーザからの操作を受け付け、受け付けた内容をＣＰＵ１０２１へ通知する。操作部１０３２は、たとえばスイッチやキーなどによって実現することができる。また、タッチパネルなどによって表示部１０３１および操作部１０３２を実現してもよい。マイク１０３３は、ユーザからの音声入力を受け付け、受け付けた内容をＣＰＵ１０２１へ通知する。スピーカ１０３４は、ＣＰＵ１０２１からの制御により、移動端末１１０のユーザに対して音声を出力する。
【００８５】
端末速度検出部１０４１は、移動端末１１０の移動速度を検出する。端末速度検出部１０４１は、たとえば加速度センサ等を用いて移動速度を検出する。ただし、端末速度検出部１０４１による移動速度の検出についてはこれに限らず、各種の方法を用いることができる。たとえば、端末速度検出部１０４１は、アンテナ１００１による受信信号の周波数や位相の情報に基づいて移動速度を検出してもよい。
【００８６】
また、端末速度検出部１０４１は、ＧＰＳ（Ｇｌｏｂａｌ  Ｐｏｓｉｔｉｏｎｉｎｇ  Ｓｙｓｔｅｍ：全地球測位システム）等により移動端末１１０の位置情報を取得し、位置情報の変化に基づいて移動速度を検出してもよい。また、端末速度検出部１０４１は、移動端末１１０の通信先の基地局の変化に基づいて移動速度を検出してもよい。
【００８７】
電池残量検出部１０４２は、移動端末１１０の電池残量を検出する。たとえば、電池残量検出部１０４２は、移動端末１１０の電池から供給される電流から電池電圧を測定することによって電池残量を検出する。
【００８８】
下り要求スループット検出部１０４３は、移動端末１１０がネットワークに対して要求する下り通信のスループットを検出する。下り要求スループット検出部１０４３による下り通信のスループットの検出については後述する（たとえば図１１参照）。
【００８９】
端末速度検出部１０４１、電池残量検出部１０４２および下り要求スループット検出部１０４３は、たとえばＣＰＵ１０２１とは別の電子回路等によって実現することができる。または、端末速度検出部１０４１、電池残量検出部１０４２および下り要求スループット検出部１０４３は、たとえばＣＰＵ１０２１がプログラムを実行することによって実現されてもよい。
【００９０】
図１−１，図１−２に示した受信部１１１は、たとえばアンテナ１００１およびＬＴＥ−Ａデバイス１０１０によって実現することができる。図１−１，図１−２に示した測定部１１２は、たとえばアンテナ１００１、ＬＴＥ−Ａデバイス１０１０およびＣＰＵ１０２１によって実現することができる。図１−１，図１−２に示した設定部１１３および制御部１１５は、たとえばＬＴＥ−Ａデバイス１０１０およびＣＰＵ１０２１によって実現することができる。図１−１，図１−２に示した検出部１１４は、たとえば端末速度検出部１０４１、電池残量検出部１０４２および下り要求スループット検出部１０４３によって実現することができる。
【００９１】
（下り要求スループットの検出）
図１１は、下り要求スループットの検出の一例を示す図である。図１１に示すように、たとえば、移動端末１１０は、アプリケーションクライアント１１１０と、記憶部１１２０と、下り要求スループット設定部１１３０と、を備える。アプリケーションクライアント１１１０および下り要求スループット設定部１１３０は、たとえばＣＰＵ１０２１がプログラムを実行することによって実現することができる。記憶部１１２０は、たとえばメモリ１０２２によって実現することができる。
【００９２】
たとえば、アプリケーションクライアント１１１０は、蓄積型ストリーミングサービス（ビデオストリーミングサービス）を行うアプリケーションのクライアントである。アプリケーションクライアント１１１０においては、サーバからダウンロードするビデオデータの品質について、たとえば「ｆｏｒｍ１」〜「ｆｏｒｍ３」が選択可能であるとする。アプリケーションクライアント１１１０は、選択されたフォーム（選択フォーム）を下り要求スループット設定部１１３０へ通知する。
【００９３】
記憶部１１２０には、テーブル１１２１が記憶されている。テーブル１１２１においては、アプリケーションクライアント１１１０における選択フォームと、下り要求スループットと、が対応付けられている。図１１に示す例では、テーブル１１２１において、「ｆｏｒｍ１」〜「ｆｏｒｍ３」にはそれぞれ５［Ｍｂｐｓ］、１０［Ｍｂｐｓ］および２０［Ｍｂｐｓ］が対応付けられている。
【００９４】
下り要求スループット設定部１１３０は、記憶部１１２０に記憶されたテーブル１１２１において、アプリケーションクライアント１１１０から通知された選択フォームに対応付けられた下り要求スループットを取得する。そして、下り要求スループット設定部１１３０は、取得した下り要求スループットを、移動端末１１０の下り要求スループットとして設定する。
【００９５】
下り要求スループット検出部１０４３は、下り要求スループット設定部１１３０によって設定された下り要求スループットを取得することによって移動端末１１０の下り要求スループットを検出する。たとえば、アプリケーションクライアント１１１０において「ｆｏｒｍ１」が設定されている場合は、下り要求スループット設定部１１３０によって５［Ｍｂｐｓ］が下り要求スループットとして設定される。
【００９６】
また、アプリケーションクライアント１１１０は複数あってもよく、その場合はアプリケーションクライアント１１１０のそれぞれに対応するテーブル１１２１が記憶部１１２０に記憶される。下り要求スループット設定部１１３０は、アプリケーションクライアント１１１０のそれぞれについてテーブル１１２１から下り要求スループットを取得する。そして、下り要求スループット設定部１１３０は、たとえば、取得した下り要求スループットの合計を移動端末１１０の下り要求スループットとして設定する。
【００９７】
また、アプリケーションクライアント１１１０のサービスには、ビデオストリーミングサービスに限らず、ＶｏＩＰ（Ｖｏｉｃｅ  ｏｖｅｒ  ＩＰ）、テレビ電話、ファイル転送等の各種のサービスを適用することができる。
【００９８】
このように、下り要求スループット検出部１０４３は、移動端末１１０（自端末）で実行可能なアプリケーションの状態と、移動端末１１０が要求するデータ量と、のテーブル１１２１（対応情報）を参照可能である。そして、下り要求スループット検出部１０４３は、テーブル１１２１に基づいて、移動端末１１０で実行中のアプリケーションの状態に対応するデータ量を検出する。
【００９９】
以上説明したように、移動端末および制御方法によれば、電力を効率よく使用することができる。
【０１００】
たとえば、従来のＬＴＥ−Ａの動作では、移動端末の状態を考慮せずに、無線環境がよい場合には複数のセカンダリＣＣが使用されていた。このため、たとえば常時、複数のセカンダリＣＣについてのセカンダリセルサーチが行われ、電力を多く消費する割に、通信品質を向上させることができない場合があった。
【０１０１】
これに対して、移動端末１１０によれば、たとえば、セカンダリＣＣの通信品質が頻繁に低下する高速移動中は、セカンダリＣＣの切り替えやセカンダリセルの選択のためのセカンダリセルサーチを停止することができる。これにより、通信品質の向上に繋がらない電力消費を抑えることができる。
【０１０２】
上述した実施の形態に関し、さらに以下の付記を開示する。
【０１０３】
（付記１）第１周波数帯域のセルと、前記第１周波数帯域とは異なる第２周波数帯域のセルであって前記第１周波数帯域のセルより範囲が狭いセルと、を同時に用いて無線信号を受信可能な受信部と、
前記第２周波数帯域の各セルについて受信品質の測定を行う測定部と、
前記測定部による測定の結果に基づいて、前記第２周波数帯域の各セルのうちの前記受信部が用いるセルを設定する設定部と、
自端末の移動速度を検出する検出部と、
前記検出部によって検出された移動速度が所定速度を上回ると前記測定部による前記測定を停止させる制御部と、
を備えることを特徴とする移動端末。
【０１０４】
（付記２）前記設定部は、前記第２周波数帯域の各セルについての受信品質の測定結果に基づく所定イベントを含む各イベントの発生の監視結果に基づいて前記受信部が用いる帯域の設定を行い、前記検出部によって検出された移動速度が所定速度を上回ると、前記所定イベントの発生の監視を停止することを特徴とする付記１に記載の移動端末。
【０１０５】
（付記３）前記設定部は、前記測定の結果を含む情報を基地局へ送信することより、前記第２周波数帯域の各セルのうちの前記受信部が用いるセルを示す情報を前記基地局から受信し、受信した情報に基づいて前記受信部が用いるセルを設定することを特徴とする付記１または２に記載の移動端末。
【０１０６】
（付記４）前記制御部は、前記測定部による前記測定を停止させた後に、前記検出部によって検出された移動速度が前記所定速度以下になると前記測定部による前記測定を再開させることを特徴とする付記１〜３のいずれか一つに記載の移動端末。
【０１０７】
（付記５）前記検出部は、自端末の電池残量を検出し、
前記制御部は、前記検出部によって検出された電池残量が所定残量を下回ると前記測定部による前記測定を停止させる、
ことを特徴とする付記１〜４のいずれか一つに記載の移動端末。
【０１０８】
（付記６）前記制御部は、前記測定部による前記測定を停止させた後に、前記検出部によって検出された電池残量が前記所定残量以上となり、かつ前記検出部によって検出された移動速度が前記所定速度以下である場合に前記測定部による前記測定を再開させることを特徴とする付記５に記載の移動端末。
【０１０９】
（付記７）前記検出部は、自端末への送信を要求するデータ量を検出し、
前記制御部は、前記検出部によって検出されたデータ量が所定データ量を下回ると前記測定部による前記測定を停止させる、
ことを特徴とする付記１〜６のいずれか一つに記載の移動端末。
【０１１０】
（付記８）前記制御部は、前記測定部による前記測定を停止させた後に、前記検出部によって検出されたデータ量が前記所定データ量以上となり、かつ前記検出部によって検出された移動速度が前記所定速度以下である場合に前記測定部による前記測定を再開させることを特徴とする付記７に記載の移動端末。
【０１１１】
（付記９）前記検出部は、自端末で実行可能なアプリケーションの状態と、自端末への送信を要求するデータ量と、の対応情報に基づいて、自端末で実行中のアプリケーションの状態に対応するデータ量を検出することを特徴とする付記７または８に記載の移動端末。
【０１１２】
（付記１０）第１周波数帯域のセルと、前記第１周波数帯域とは異なる第２周波数帯域のセルであって前記第１周波数帯域のセルより範囲が狭いセルと、を同時に用いて無線信号を受信可能な移動端末の制御方法において、
前記第２周波数帯域の各セルについて受信品質の測定を行い、
前記測定の結果に基づいて、前記第２周波数帯域の各セルのうちの無線信号の受信に用いるセルを設定し、
前記移動端末の移動速度を検出し、
検出した移動速度が所定速度を上回ると前記測定を停止する、
ことを特徴とする制御方法。
【符号の説明】
【０１１３】
１００  通信システム
１１０  移動端末
１１１  受信部
１１２  測定部
１１３  設定部
１１４  検出部
１１５  制御部
１２０  基地局
１３１，１３２  セル
１３３  セル群
２１０，２２１〜２２３  コンポーネントキャリア
３１０  フレーム
３２０  サブフレーム
３２１  プライマリ同期信号
３２２  セカンダリ同期信号
３２３  ＰＢＣＨ
３２４  ＰＤＣＣＨ
３２５  ＰＤＳＣＨ
３２６  リファレンス信号
３３０  スロット
４１０  ＥＵＴＲＡＮ
９１０，９２０，１１２１  テーブル
１００１  アンテナ
１０１０  ＬＴＥ−Ａデバイス
１０１１  ＬＴＥ−Ａ無線部
１０１２  ＬＴＥ−Ａベースバンド部
１０２１  ＣＰＵ
１０２２  メモリ
１０３１  表示部
１０３２  操作部
１０３３  マイク
１０３４  スピーカ
１０４１  端末速度検出部
１０４２  電池残量検出部
１０４３  下り要求スループット検出部
１１１０  アプリケーションクライアント
１１２０  記憶部
１１３０  下り要求スループット設定部
【図１−１】
2014183406.tif 000003
【図１−２】
2014183406.tif 000004
【図１−３】
2014183406.tif 000005
【図２】
2014183406.tif 000006
【図３】
2014183406.tif 000007
【図４】
2014183406.tif 000008
【図５】
2014183406.tif 000009
【図６】
2014183406.tif 000010
【図７】
2014183406.tif 000011
【図８】
2014183406.tif 000012
【図９−１】
2014183406.tif 000013
【図９−２】
2014183406.tif 000014
【図１０−１】
2014183406.tif 000015
【図１０−２】
2014183406.tif 000016
【図１１】
2014183406.tif 000017